(57)【要約】【課題】作業者の熟練度に左右されずに脱落し難くし、外部から視認することができるとともに魚の行動に与える影響を小さくすることができるＩＣタグの装着方法を提供する。【解決手段】タグ用アンテナを接続したＩＣチップを有する本体部１１を魚２１の腹腔２５内に埋め込んだ状態で、延出部材１２の先端部１２ｂが目印となるように同先端部１２ｂを魚２１の体外に露出させてＩＣタグを魚２１に装着させた。【選択図】図３
2010119312.tif 000002
【特許請求の範囲】
【請求項１】
ＲＦＩＤシステムを利用した魚類の行動解析に用いられ、電波を送受信するタグ用アンテナを接続したＩＣチップを有する本体部から延出した延出部を備えたＩＣタグの装着方法であって、
前記本体部を前記魚類の体内に埋め込んだ状態で、前記延出部が目印となるように該延出部を前記魚類の体外に露出させて装着することを特徴とするＩＣタグの装着方法。
【発明の詳細な説明】
【技術分野】
【０００１】
本発明は、ＲＦＩＤシステムに用いられるＩＣタグの装着方法に関するものである。
【背景技術】
【０００２】
従来、河川や用水路、或いはダムや河口堰などに設けられた魚道等の水域を遡上したり、下ったりする魚類の計数は、同水域を通過する魚類を直接視認することで計数する目視調査などにより行われていた。しかしながら、目視調査によって魚類を計数する場合には、計数対象以外の魚類についてもカウントしてしまう虞や計数対象となる魚類を見落とす虞があり、計数結果の精度が低い等の問題があった。
【０００３】
そこで、近年では、ＩＣタグを使用し、リーダ・ライタ装置との間で電波を用いて非接触方式にて情報の授受を行う、所謂ＲＦＩＤ（Radio Frequency IDentification）システムを利用して魚類の計数が行われている。具体的には、計数対象となる魚に、電波を送受信するタグ用アンテナを接続したＩＣチップを有するＩＣタグを装着させて放流し、魚道等の水域に設けられたリーダ・ライタ装置によりＩＣタグを認識することで、同魚道等の水域を通過した魚類を計数するようになっている。
【０００４】
ＲＦＩＤシステムは、リーダ・ライタ装置とＩＣタグからなる以下に示すシステムである。詳述すると、情報を含んだ電波を発信しているリーダ・ライタ装置のリーダ・ライタ用アンテナにＩＣタグを近づけると、ＩＣタグはそのタグ用アンテナにてリーダ・ライタ用アンテナからの電波を受信する。ＩＣタグは、タグ用アンテナにて受信した電波の電磁誘導作用により起電力を発生させ、ＩＣチップを起動させる。起動したＩＣチップは、受信した電波に含まれた情報に基づく処理を実行し、タグ用アンテナから情報を電波にしてリーダ・ライタ用アンテナに送信する。そして、リーダ・ライタ装置は、ＩＣタグからの電波をリーダ・ライタ用アンテナにて受信することでＩＣタグの情報を取得する。
【０００５】
ところで、ＩＣタグを魚に取り付ける装着方法として、特許文献１には、魚の背びれ下部に取着されたＴ字状のタグピンにＩＣタグを取り付けることで装着する方法が開示されている。また、特許文献１には、ＩＣタグを魚の腹腔内に埋め込むことで装着する方法が開示されている。
【特許文献１】特開平７−１６７８５１号公報
【発明の開示】
【発明が解決しようとする課題】
【０００６】
しかしながら、タグピンを魚の背びれ下部に取り付ける作業は熟練を要するため、不慣れな作業者が取り付けた場合、ＩＣタグが脱落し易いという問題がある。また、魚の外部にＩＣタグが露出するため、ＩＣタグが水の抵抗を受けることで魚の行動に影響を与える虞がある。特に、水の流れが速い魚道等の水域では、魚の行動に与える影響が大きくなる虞がある。
【０００７】
一方、魚の腹腔内にＩＣタグを埋め込んで装着する場合には、作業者の熟練度に左右されずＩＣタグを脱落し難くすることができ、且つ魚の行動にほとんど影響を与えないものの、外部からＩＣタグを視認することができないため、魚を食べる際に誤飲の虞が生じる。特に、鮎などのように、頭部や内臓まで食用とする魚類においては誤飲の可能性が高くなってしまう。
【０００８】
本発明は、上記問題点を解決するためになされたものであって、その目的は、作業者の熟練度に左右されずに脱落し難くし、外部から視認することができるとともに魚の行動に与える影響を小さくすることができるＩＣタグの装着方法を提供することにある。
【課題を解決するための手段】
【０００９】
上記目的を達成するため、請求項１に記載の発明は、ＲＦＩＤシステムを利用した魚類の行動解析に用いられ、電波を送受信するタグ用アンテナを接続したＩＣチップを有する本体部から延出した延出部を備えたＩＣタグの装着方法であって、前記本体部を前記魚類の体内に埋め込んだ状態で、前記延出部が目印となるように該延出部を前記魚類の体外に露出させて装着することを要旨とする。
【００１０】
上記構成によれば、タグ用アンテナ及びＩＣチップを有する本体部が魚類の体内に埋め込まれるため、作業者の熟練度に左右されずＩＣタグを脱落し難くすることができる。また、本体部が魚類の体内に埋め込まれＩＣタグが魚類に装着された状態で、延出部が目印となるように該延出部を魚類の体外に露出させてＩＣタグを装着するため、魚類にＩＣタグが埋め込まれていることを容易に視認することができ、誤飲を防止することができる。そして、延出部のみが魚類の体外に露出するため、従来のように魚の背びれ下部に取着されたＴ字状のタグピンにＩＣタグを取り付ける場合に比べ、魚の行動に与える影響を小さくすることができる。これにより、水の流れの速い魚道等でも、魚の行動に大きな影響を与えることを防止できる。
【発明の効果】
【００１１】
本発明によれば、作業者の熟練度に左右されずに脱落し難くし、外部から視認することが可能であるとともに魚の行動に与える影響を小さくすることが可能なＩＣタグの装着方法を提供することができる。
【発明を実施するための最良の形態】
【００１２】
以下、本発明を具体化した一実施形態を図面に従って説明する。
図１に示すように、ＩＣタグ１は、本体部１１と、本体部１１から一部延出して設けられる棒状の延出部材１２とを備えている。
【００１３】
本体部１１は、電波を送受信するタグ用アンテナ１４と、同タグ用アンテナ１４に接続されたＩＣチップ１５と、タグ用アンテナ１４及びＩＣチップ１５を内包するガラス管１６とを備えている。このガラス管１６により、タグ用アンテナ１４及びＩＣチップ１５の防水性等が確保されている。また、本体部１１は、ガラス管１６を延出部材１２に固定するためのチューブ１７及び該チューブ１７内に充填される樹脂材料（図示略）を備えている。一方、延出部材１２は、透明のプラスチック材料よりなる外径が一定の円柱体である。
【００１４】
本実施形態では、タグ用アンテナ１４及びＩＣチップ１５を内包したガラス管１６は、延出部材１２の基端部１２ａに配置されている。そして、ガラス管１６は、延出部材１２の基端部１２ａとともにチューブ１７及び同チューブ１７内に充填された樹脂材料により被覆されて、延出部材１２に固定されている。これにより、延出部材１２は本体部１１に対して着脱不能に固定されている。なお、上記のようなＩＣタグ１としては、例えばＨａｌｌｐｒｉｎｔ社製（商品名ＴＢＦ−ＰＩＴ等）のＩＣタグが挙げられる。
【００１５】
ＩＣタグ１の装着に際にしては、図２に示すように、魚２１の腹部２２に穿孔部材としての錐２３により穴２４を形成し、本体部１１が穴２４から魚２１の腹腔２５内に埋め込まれることで、ＩＣタグ１が魚２１に装着されるようになっている。
【００１６】
つまり、図３に示すように、ＩＣタグ１は、本体部１１が魚２１の腹腔２５内に埋め込まれた状態で、延出部材１２の先端部１２ｂが目印となるように魚２１の体外に露出されて魚２１に装着されるようになっている。従って、本実施形態では、延出部材１２の先端部１２ｂが延出部として構成されている。
【００１７】
次に、魚道を通過する魚２１の計数する構成について説明する。
図４に示すように、河川３１に設けられたダムや河口堰などの河川工作物３２には、魚が遡上したり、下ったりするための魚道３３が設けられている。鮎や鱒などの魚は、魚道３３を通過することで、河川工作物３２を越えて河川３１を遡上したり、下ったりするようになっている。そして、本実施形態では、ＩＣタグ１とリーダ・ライタ装置との間で電波を用いて非接触方式にて情報の授受を行うＲＦＩＤ（Radio Frequency IDentification）システムにより魚道３３を通過する魚２１を認識して、計数するようになっている。
【００１８】
詳述すると、魚道３３の下流側口３３ａ及び上流側口３３ｂには、それぞれリーダ・ライタ用アンテナ３５が設けられている。図５に示すように、本実施形態では、リーダ・ライタ用アンテナ３５は、四角枠状に形成され、枠内を魚２１が通過可能に構成されている。また、リーダ・ライタ用アンテナ３５には、図示しないアンテナチューナを介してリーダ・ライタ装置３６が接続されている。
【００１９】
そして、リーダ・ライタ装置３６は、リーダ・ライタ用アンテナ３５を介して、魚２１がそれぞれのリーダ・ライタ用アンテナ３５を通過する際に、それぞれのリーダ・ライタ用アンテナ３５と魚２１に装着されたＩＣタグ１（図５において図示略）との間で非接触にて情報の授受を行わせることで、魚２１の通過を認識するようになっている。
【００２０】
具体的には、リーダ・ライタ装置３６は、リーダ・ライタ用アンテナ３５を介して制御信号を含む電波を発信する。次いで、ＩＣタグ１のタグ用アンテナ１４がリーダ・ライタ用アンテナ３５からの電波を受信すると、電磁誘導作用により起電力が発生する。この起電力により、ＩＣチップ１５が起動し、制御信号に基づく処理を実行してタグ用アンテナ１４から情報を電波にして送信する。そして、リーダ・ライタ装置３６は、リーダ・ライタ用アンテナ３５がＩＣタグ１からの電波を受信することで、魚２１（ＩＣタグ１）が魚道３３を通過したことを認識して、魚２１を計数するようになっている。
【００２１】
ここで、ＩＣタグ１を取り付けた魚２１をコンクリート水槽（図示略）内で飼育した際の時間経過に対するＩＣタグ１の非脱落率について説明する。図６に実線で示すように、ＩＣタグ１の非脱落率Ａは、飼育開始後３ヶ月の時点で７０％以上の非脱落率を維持しており、ＩＣタグ１が脱落し難い結果が得られた。このような結果は、作業者の熟練度に左右されず、不慣れな作業者がＩＣタグ１を装着させた場合であっても同様に得られた。
【００２２】
このように、本体部１１が魚２１の腹腔２５内に埋め込まれているため、作業者の熟練度によらずＩＣタグ１を脱落し難くすることができる。従って、魚道３３を通過する魚２１を精度よく認識することができる。また、延出部材１２の先端部１２ｂが魚２１の体外に露出して目印となるため、魚２１にＩＣタグ１が埋め込まれていることを容易に視認することができ、誤飲を防止することができる。そして、延出部材１２の先端部１２ｂのみが魚２１の体外に露出するため、従来のように魚２１の背びれ下部に取着されたＴ字状のタグピンにＩＣタグを取り付ける場合に比べ、魚２１の行動に与える影響を小さくすることができる。
【００２３】
以上記述したように、本実施形態によれば、以下の効果を奏する。
（１）本実施形態によれば、タグ用アンテナ１４を接続したＩＣチップ１５を有する本体部１１を魚２１の腹腔２５内に埋め込んだため、作業者の熟練度に左右されずＩＣタグ１を脱落し難くすることができる。また、延出部材１２の先端部１２ｂが目印となるように魚２１の体外に露出させたため、魚２１にＩＣタグ１の本体部１１が埋め込まれていることを容易に視認することができ、誤飲を防止することができる。そして、延出部材１２の先端部１２ｂのみが魚２１の体外に露出するため、従来のように魚２１の背びれ下部に取着されたＴ字状のタグピンにＩＣタグを取り付ける場合に比べ、魚２１の行動に与える影響を小さくすることができる。これにより、水の流れの速い魚道３３のような水域でも、魚２１の行動に大きな影響を与えることを防止できる。
【００２４】
なお、本実施形態は、以下の態様で実施してもよい。
・上記実施形態では、図１に示すように本体部１１から延出部材１２の先端部１２ｂが延出したＩＣタグ１を用いたが、これに限らず、本体部１１から延出した延出部を有するＩＣタグであれば、適宜形状を変更したＩＣタグを用いてもよい。
【００２５】
・上記実施形態では、穿孔部材として錐２３を用いたが、これに限らず、千枚通しや針等、その他の部材を用いてもよい。
・上記実施形態では、錐２３により魚２１の腹部２２に形成された穴２４から本体部１１を腹腔２５内に埋め込んだが、これに限らず、メス等により魚２１の腹部２２を開腹して本体部１１を腹腔２５内に埋め込んだ後に、魚２１の腹部２２を縫合するようにしてもよい。また、本体部１１を魚２１の腹腔２５内に埋め込むためのインジェクタ（注入器）を用いる等、その他の方法で本体部１１を埋め込むようにしてもよい。
【００２６】
・上記実施形態では、リーダ・ライタ用アンテナ３５を魚道３３の下流側口３３ａ及び上流側口３３ｂにそれぞれ設けたが、これに限らず、例えば上流側口３３ｂのみや魚道３３の中央に設けてもよい。
【００２７】
・上記実施形態では、リーダ・ライタ用アンテナ３５を魚道３３に設け、同魚道３３を通過する魚２１を認識するようにしたが、これに限らない。例えば、河川や用水路等その他の水域にリーダ・ライタ用アンテナを設け、同水域を通過する魚を認識するようにしてよい。
【図面の簡単な説明】
【００２８】
【図１】ＩＣタグの正面図。
【図２】錐で魚の腹部に穴を形成した状態を示す説明図。
【図３】本体部を魚の腹腔内に埋め込んでＩＣタグを装着した魚を示す側面図。
【図４】河川に設けられた魚道を示す概略図。
【図５】リーダ・ライタ用アンテナ内を通過する魚を示す概略断面図。
【図６】魚の飼育期間とＩＣタグの非脱落率との関係を示すグラフ。
【符号の説明】
【００２９】
１…ＩＣタグ、１１…本体部、１２…延出部材、１２ａ…基端部、１２ｂ…先端部、１４…タグ用アンテナ、１５…ＩＣチップ、１６…ガラス管、１７…チューブ、２１…魚、２２…腹部、２４…穴、２５…腹腔。
【図１】
2010119312.tif 000003
【図２】
2010119312.tif 000004
【図３】
2010119312.tif 000005
【図４】
2010119312.tif 000006
【図５】
2010119312.tif 000007
【図６】
2010119312.tif 000008